【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
データが伝達された操作を示す伝達方法情報と、前記伝達方法情報によって伝達された前記データの伝達元及び伝達先とを含む証跡を、前記データと一致又は類似する内容のデータが伝達された複数の伝達方法情報のそれぞれについて含む証跡情報を記憶する記憶手段と、
前記記憶手段に記憶されている前記データの証跡情報に含まれている複数の証跡の伝達元及び伝達先に基づいて、前記複数の伝達方法情報によって前記データが伝達された伝達経路を特定する特定手段と、
前記特定手段により特定された前記伝達元及び前記伝達先を含む伝達経路を示す情報を生成する生成手段と、
前記生成手段で生成された伝達経路を示す情報を表示するべく出力する出力手段と、
を備えることを特徴とする情報処理装置。
【請求項２】
前記記憶手段は、前記証跡情報に含まれる証跡についてのデータの内容を更に記憶し、
検索対象のデータの入力を受け付ける受付手段と、
前記受付手段で入力を受け付けた検索対象のデータに一致又は類似する内容のデータの複数の証跡を、前記記憶手段に記憶されている証跡情報の中から検索する検索手段と、
を更に備え、
前記特定手段は、前記検索手段により検索された複数の証跡に含まれる伝達元及び伝達先に基づいて、前記複数の伝達方法情報によって、前記受付手段で入力を受け付けた前記検索対象のデータに一致又は類似する内容のデータが伝送された伝達経路を特定することを特徴とする請求項１に記載の情報処理装置。
【請求項３】
前記検索手段により検索された複数の証跡のうちの一つの証跡の伝達先が、前記検索手段により検索された複数の証跡のうちの他の証跡の伝達元に含まれるかを判定する判定手段を更に備え、
前記特定手段は、前記判定手段により、前記検索手段により検索された複数の証跡のうちの一つの証跡の伝達先が、前記検索手段により検索された複数の証跡のうちの他の証跡の伝達元に含まれると判定された場合に、前記受付手段で入力を受け付けた前記検索対象のデータに一致又は類似する内容のデータが、前記一つの証跡の伝達先から、前記他の証跡の伝達元に伝達されたことを示す伝達経路を特定することを特徴とする請求項２に記載の情報処理装置。
【請求項４】
前記記憶手段に記憶されている証跡情報に含まれている証跡は、前記データが伝達先から伝達元に伝達された媒体の種類を示す伝達元媒体情報と、前記データが伝達元から伝達先に伝達された媒体の種類を示す伝達先媒体情報とを更に含み、
前記検索手段により検索された複数の証跡のうちの一つの証跡の伝達先媒体情報に示される媒体の種類が、前記検索手段により検索された複数の証跡のうちの他の証跡の伝達元媒体情報に示される媒体の種類と同じであるかを判定する媒体判定手段を更に備え、
前記特定手段は、前記媒体判定手段で、前記検索手段により検索された複数の証跡のうちの一つの証跡の伝達先媒体情報に示される媒体の種類が、前記検索手段により検索された複数の証跡のうちの他の証跡の伝達元媒体情報に示される媒体の種類と同じであると判定された場合、前記検索対象のデータに一致又は類似する内容のデータが、前記一つの証跡に含まれる伝達先から、前記他の証跡に含まれる伝達元に伝達されたことを示す伝達経路を特定することを特徴とする請求項２又は３に記載の情報処理装置。
【請求項５】
複数のユーザの組織情報を記憶する組織記憶手段と、
前記検索手段により検索された複数の証跡のうちの一つの証跡の伝達先が不明であるかを判定する伝達先判定手段と、
を更に備え、
前記特定手段は、前記伝達先判定手段により、前記検索手段により検索された複数の証跡のうちの一つの証跡における伝達先が不明であると判定された場合に、前記伝達先判定手段により伝達先が不明と判定された当該一つの証跡における伝達元と、前記媒体判定手段により、前記検索手段により検索された複数の証跡のうちの一つの証跡の伝達先媒体情報に示される媒体の種類が同じであると判定された、前記検索手段により検索された複数の証跡のうちの他の証跡における伝達元と、前記組織記憶手段に記憶されている前記組織情報とに従って、前記一つの証跡における伝達先を推測して伝達経路を特定することを特徴とする請求項４に記載の情報処理装置。
【請求項６】
前記特定手段は、前記媒体判定手段により、前記検索手段により検索された複数の証跡のうちの一つの証跡の伝達先媒体情報に示される媒体の種類が同じであると判定された、前記検索手段により検索された複数の証跡のうちの他の証跡における伝達元のうち、前記組織記憶手段に記憶されている前記組織情報において、前記一つの証跡における伝達元から最も近い距離の伝達元を、前記一つの証跡における伝達先として推測することを特徴とする請求項５に記載の情報処理装置。
【請求項７】
前記記憶手段に記憶されている証跡情報に含まれる証跡は、廃棄されたデータが伝達先から伝達元に伝達された媒体を識別する伝達元媒体識別子と、前記データが伝達元から伝達先に伝達された媒体を識別する伝達先媒体識別子とを更に記憶し、
前記特定手段は、前記記憶手段に記憶されている証跡情報に含まれている複数の証跡の伝達元媒体識別子及び伝達先媒体識別子に基づいて、前記廃棄されたデータの伝達経路を特定することを特徴とする請求項１乃至６の何れか１項に記載の情報処理装置。
【請求項８】
前記媒体は、電子データ及び紙のうちの少なくとも何れか一方であることを特徴とする請求項４乃至７の何れか１項に記載の情報処理装置。
【請求項９】
データが伝達された操作を示す伝達方法情報と、前記伝達方法情報によって伝達された前記データの伝達元及び伝達先とを含む証跡を、前記データと一致又は類似する内容のデータが伝達された複数の伝達方法情報のそれぞれについて含む証跡情報を記憶する記憶手段を備える情報処理装置の制御方法であって、
特定手段が、前記記憶手段に記憶されている前記データの証跡情報に含まれている複数の証跡の伝達元及び伝達先に基づいて、前記複数の伝達方法情報によって前記データが伝達された伝達経路を特定する特定工程と、
生成手段が、前記特定工程により特定された前記伝達元及び前記伝達先を含む伝達経路を示す情報を生成する生成工程と、
出力手段が、前記生成工程で生成された伝達経路を示す情報を表示するべく出力する出力工程と、
を備えることを特徴とする情報処理装置の制御方法。
【請求項１０】
データが伝達された操作を示す伝達方法情報と、前記伝達方法情報によって伝達された前記データの伝達元及び伝達先とを含む証跡を、前記データと一致又は類似する内容のデータが伝達された複数の伝達方法情報のそれぞれについて含む証跡情報を記憶する記憶手段を備えた情報処理装置で読み取り実行可能なプログラムであって、
前記情報処理装置を、
前記記憶手段に記憶されている前記データの証跡情報に含まれている複数の証跡の伝達元及び伝達先に基づいて、前記複数の伝達方法情報によって前記データが伝達された伝達経路を特定する特定手段と、
前記特定手段により特定された前記伝達元及び前記伝達先を含む伝達経路を示す情報を生成する生成手段と、
前記生成手段で生成された伝達経路を示す情報を表示するべく出力する出力手段として機能させることを特徴とするプログラム。
【手続補正２】
【補正対象書類名】明細書
【補正対象項目名】０００９
【補正方法】変更
【補正の内容】
【０００９】
そこで、本発明の目的は、記憶手段に記憶されているデータの証跡情報に含まれている複数の証跡の伝達元及び伝達先に基づいて、複数の伝達方法情報によって該データが伝達された伝達経路を特定し、当該特定された該伝達元及び該伝達先を含む伝達経路を示す情報を生成し出力する仕組みを提供することである。
【手続補正３】
【補正対象書類名】明細書
【補正対象項目名】００１０
【補正方法】変更
【補正の内容】
【００１０】
本発明の情報処理装置は、データが伝達された操作を示す伝達方法情報と、前記伝達方法情報によって伝達された前記データの伝達元及び伝達先とを含む証跡を、前記データと一致又は類似する内容のデータが伝達された複数の伝達方法情報のそれぞれについて含む証跡情報を記憶する記憶手段と、前記記憶手段に記憶されている前記データの証跡情報に含まれている複数の証跡の伝達元及び伝達先に基づいて、前記複数の伝達方法情報によって前記データが伝達された伝達経路を特定する特定手段と、前記特定手段により特定された前記伝達元及び前記伝達先を含む伝達経路を示す情報を生成する生成手段と、前記生成手段で生成された伝達経路を示す情報を表示するべく出力する出力手段と、を備えることを特徴とする。
本発明の情報処理装置の制御方法は、データが伝達された操作を示す伝達方法情報と、前記伝達方法情報によって伝達された前記データの伝達元及び伝達先とを含む証跡を、前記データと一致又は類似する内容のデータが伝達された複数の伝達方法情報のそれぞれについて含む証跡情報を記憶する記憶手段を備える情報処理装置の制御方法であって、特定手段が、前記記憶手段に記憶されている前記データの証跡情報に含まれている複数の証跡の伝達元及び伝達先に基づいて、前記複数の伝達方法情報によって前記データが伝達された伝達経路を特定する特定工程と、生成手段が、前記特定工程により特定された前記伝達元及び前記伝達先を含む伝達経路を示す情報を生成する生成工程と、出力手段が、前記生成工程で生成された伝達経路を示す情報を表示するべく出力する出力工程と、を備えることを特徴とする。
本発明のプログラムは、データが伝達された操作を示す伝達方法情報と、前記伝達方法情報によって伝達された前記データの伝達元及び伝達先とを含む証跡を、前記データと一致又は類似する内容のデータが伝達された複数の伝達方法情報のそれぞれについて含む証跡情報を記憶する記憶手段を備えた情報処理装置で読み取り実行可能なプログラムであって、前記情報処理装置を、前記記憶手段に記憶されている前記データの証跡情報に含まれている複数の証跡の伝達元及び伝達先に基づいて、前記複数の伝達方法情報によって前記データが伝達された伝達経路を特定する特定手段と、前記特定手段により特定された前記伝達元及び前記伝達先を含む伝達経路を示す情報を生成する生成手段と、前記生成手段で生成された伝達経路を示す情報を表示するべく出力する出力手段として機能させることを特徴とする。
【手続補正４】
【補正対象書類名】明細書
【補正対象項目名】００１１
【補正方法】変更
【補正の内容】
【００１１】
本発明によれば、記憶手段に記憶されているデータの証跡情報に含まれている複数の証跡の伝達元及び伝達先に基づいて、複数の伝達方法情報によって該データが伝達された伝達経路を特定し、当該特定された該伝達元及び該伝達先を含む伝達経路を示す情報を生成し出力することができる。従って、例えば、情報漏洩事案が発生した場合、電子メール、電子文書、印刷媒体等の証跡のデータから内容が一致又は類似するデータの伝達経路を示す情報を生成することが可能となる。